【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数のコンポーネントキャリアを用いてユーザ機器（ＵＥ）を設定することと、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定することと、
前記判別できないことが決定されたときはいつでも前記グラントによって前記コンポーネントキャリアのみをスケジューリングすることと
を備え、
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う方法。
【請求項２】
前記コンポーネントキャリア上で物理ダウンリンク制御チャネル（ＰＤＣＣＨ）内の前記グラントを送信することをさらに備える、請求項１に記載の方法。
【請求項３】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１に記載の方法。
【請求項４】
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、請求項１に記載の方法。
【請求項５】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントのうちの１つである、請求項１に記載の方法。
【請求項６】
ユーザ機器（ＵＥ）を動作させる方法であって、
複数のコンポーネントキャリアのうちのあるコンポーネントキャリア上でグラントを受信することと、
前記グラントに基づいてｅＮｏｄｅＢと通信することとを備え、
前記グラントは、前記ＵＥがグラントにキャリアインジケータフィールド（ＣＩＦ）が含まれているかどうかを判別できないと前記ｅＮｏｄｅＢが決定するときに前記コンポーネントキャリアのみをスケジューリングし、
前記グラントが共通の探索空間とＵＥ固有の探索空間の重なり合った探索空間内で受信され、前記グラントを受信する前記ＵＥが、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う方法。
【請求項７】
前記グラントは、物理ダウンリンク制御チャネル（ＰＤＣＣＨ）内で受信される、請求項６に記載の方法。
【請求項８】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項６に記載の方法。
【請求項９】
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、請求項６に記載の方法。
【請求項１０】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントのうちの１つである、請求項６に記載の方法。
【請求項１１】
ワイヤレス通信のための装置であって、
複数のコンポーネントキャリアを用いてユーザ機器（ＵＥ）を設定するための手段と、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定するための手段と、
前記判別できないことが決定されたときはいつでも、前記グラントによって前記コンポーネントキャリアのみをスケジューリングする手段と
を備え、
前記グラントが共通の探索空間とＵＥ固有の探索空間の重なり合った探索空間内に配置され、前記グラントを受信する前記ＵＥが、前記グラントのペイロードサイズに基づいて前記ＣＩＦが前記グラントに含まれているかどうかを判別することができないときに、前記コンポーネントキャリアのみがスケジューリングされ、前記共通の探索空間の第１の制御チャネル要素（ＣＣＥ）インデックスと前記ＵＥ固有の探索空間の第１のＣＣEインデックスが等しいときに前記共通の探索空間が前記ＵＥ固有の探索空間と重なり合う装置。
【請求項１２】
前記コンポーネントキャリア上で物理ダウンリンク制御チャネル（ＰＤＣＣＨ）内のグラントを送信するための手段をさらに備える、請求項１１に記載の装置。
【請求項１３】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１１に記載の装置。
【請求項１４】
前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみがスケジューリングされる、請求項１１に記載の装置。
【請求項１５】
前記グラントは、物理アップリンク共有チャネル（ＰＵＳＣＨ）内でトラフィックデータを送信するように前記ＵＥをスケジューリングするアップリンク（ＵＬ）グラントまたは物理ダウンリンク共有チャネル（ＰＤＳＣＨ）内でトラフィックデータを受信するように前記ＵＥをスケジューリングするダウンリンク（ＤＬ）グラントのうちの１つである、請求項１１に記載の装置。
【請求項１６】
ワイヤレス通信のための装置であって、
複数のコンポーネントキャリアのうちのあるコンポーネントキャリア上でグラントを受信するための手段と、
前記グラントに基づいてｅＮｏｄｅＢと通信するための手段とを備え、
前記グラントは、前記装置がグラントにキャリアインジケータフィールド（ＣＩＦ）が含まれているかどうかを判別できないと前記ｅＮｏｄｅＢが決定するときに前記コンポーネントキャリアのみをスケジューリングし、
前記グラントが共通の探索空間とユーザ機器（ＵＥ）固有の探索空間の重なり合った探索空間内で受信され、前記グラントを受信する前記装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う装置。
【請求項１７】
前記グラントは、物理ダウンリンク制御チャネル（ＰＤＣＣＨ）内で受信される、請求項１６に記載の装置。
【請求項１８】
前記コンポーネントキャリアは、一次コンポーネントキャリアであり、前記複数のコンポーネントキャリアには、前記一次コンポーネントキャリアおよび少なくとも１つの二次コンポーネントキャリアが含まれ、前記ＣＩＦは、前記グラントが適用される前記複数のコンポーネントキャリアのうちの１つのコンポーネントキャリアを示す、請求項１６に記載の装置。
【請求項１９】
前記グラントは、前記グラントに付加された巡回冗長検査（ＣＲＣ）がセル無線ネットワーク一時識別子（Ｃ−ＲＮＴＩ）によってスクランブルされているときにかぎり前記コンポーネントキャリアのみをスケジューリングする、請求項１６に記載の装置。
【請求項２０】
前記グラントは、物理アップリンク共有チャネル（ＰＵＳＣＨ）内でトラフィックデータを送信するように前記装置をスケジューリングするアップリンク（ＵＬ）グラントまたは物理ダウンリンク共有チャネル（ＰＤＳＣＨ）内でトラフィックデータを受信するように前記装置をスケジューリングするダウンリンク（ＤＬ）グラントのうちの１つである、請求項１６に記載の装置。
【請求項２１】
コンピュータプログラムを格納した非一時的なコンピュータ可読記憶媒体であって、
前記コンピュータプログラムは、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングする
ためのコードを備え、
前記グラントが共通の探索空間とＵＥ固有の探索空間の重なり合った探索空間内で受信され、前記グラントを受信する装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、
コンピュータ可読記憶媒体。
【請求項２２】
ユーザ機器（ＵＥ）内のコンピュータプログラムを格納した非一時的コンピュータ可読記憶媒体であって、
前記コンピュータプログラムは、
複数のコンポーネントキャリアのうちのあるコンポーネントキャリア上でグラントを受信し、
前記グラントに基づいてｅＮｏｄｅＢと通信するためのコードを備え、
前記グラントは、前記ＵＥがグラントにキャリアインジケータフィールド（ＣＩＦ）が含まれているかどうかを判別できないと前記ｅＮｏｄｅＢが決定するときに前記コンポーネントキャリアのみをスケジューリングし、
前記グラントが共通の探索空間とＵＥ固有の探索空間の重なり合った探索空間内で受信され、前記グラントを受信する装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う、
コンピュータ可読記憶媒体。
【請求項２３】
ワイヤレス通信のための装置であって、
複数のコンポーネントキャリアを用いてユーザ機器（ＵＥ）を設定し、
前記ＵＥが、前記複数のコンポーネントキャリアのうちのあるコンポーネントキャリア上で送信されるグラントにキャリアインジケータフィールド（ＣＩＦ）が含まれているかどうかを判別できないときを決定し、
前記判別できないことが決定されたときはいつでも前記グラントによって前記コンポーネントキャリアのみをスケジューリングするように構成された少なくとも１つのプロセッサと、
前記少なくとも１つのプロセッサに結合されたメモリとを備え、
前記グラントが共通の探索空間とＵＥ固有の探索空間の重なり合った探索空間内で受信され、前記グラントを受信する前記装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う装置。
【請求項２４】
ワイヤレス通信のための装置であって、
複数のコンポーネントキャリアのうちのあるコンポーネントキャリア上でグラントを受信し、
前記グラントに基づいてｅＮｏｄｅＢと通信するように構成された少なくとも１つのプロセッサを備え、
前記グラントは、前記装置がグラントにキャリアインジケータフィールド（ＣＩＦ）が含まれているかどうかを判別できないと前記ｅＮｏｄｅＢが決定するときに前記コンポーネントキャリアのみをスケジューリングし、
前記グラントが共通の探索空間とユーザ機器（ＵＥ）固有の探索空間の重なり合った探索空間内で受信され、前記グラントを受信する前記装置が、前記グラントのペイロードサイズに基づいて前記ＣＩＦが前記グラントに含まれているかどうかを判別することができないときに、前記グラントが前記コンポーネントキャリアのみをスケジューリングし、前記共通の探索空間の第１の制御チャネル要素（ＣＣＥ）インデックスと前記ＵＥ固有の探索空間の第１のＣＣＥインデックスが等しいときに前記共通の探索空間が前記ＵＥ固有の探索空間と重なり合う装置。
【請求項２５】
ユーザ機器（ＵＥ）を動作させる方法であって、
複数のサービングセルのうちの一次セルに対して、共通の探索空間とＵＥ固有の探索空間中の少なくとも１つの物理ダウンリンク制御チャネル（ＰＤＣＣＨ）を監視することと、
キャリアインジケータフィールド（ＣＩＦ）が情報中に含まれているかどうかを前記ＵＥが判別できないとき、前記共通の探索空間中の前記少なくとも１つのＰＤＣＣＨ中で受信した情報は、前記一次セルに対するものであると仮定することとを含み、
前記一次セルは、前記ＵＥのサービングセルとは異なり、
前記受信した情報が、セル無線ネットワーク一時識別子（Ｃ−ＲＮＴＩ）によってスクランブルされた巡回冗長検査（ＣＲＣ）を含み、共通のペイロードサイズを有し、前記共通の探索空間と前記ＵＥ固有の探索空間の重なり合う探索空間に配置されているとき、前記ＵＥは、前記ＣＩＦが前記情報中に含まれているかどうかを判別できず、
前記共通の探索空間の第１の制御チャネル要素（ＣＣＥ）インデックスと前記ＵＥ固有の探索空間の第１のＣＣＥインデックスが等しいとき、前記重なり合う探索空間は、前記ＵＥ固有の探索空間と重なり合う前記共通の探索空間を備える方法。
【請求項２６】
前記共通のペイロードサイズは、前記情報が前記サービングセル用の情報であるか前記一次セル用の情報であると仮定されるかにかかわらず等しいペイロードサイズである、請求項２５に記載の方法。
【請求項２７】
ワイヤレス通信のための装置であって、
複数のサービングセルのうちの一次セルに対して、共通の探索空間とユーザ機器（ＵＥ）固有の探索空間中の少なくとも１つの物理ダウンリンク制御チャネル（ＰＤＣＣＨ）を監視するための手段と、
キャリアインジケータフィールド（ＣＩＦ）が情報中に含まれているかどうかを前記装置が判別できないとき、前記共通の探索空間中の前記少なくとも１つのＰＤＣＣＨ中で受信した情報は、前記一次セルに対するものであると仮定するための手段とを備え、
前記一次セルは、前記装置のサービングセルとは異なり、
前記受信した情報が、セル無線ネットワーク一時識別子（Ｃ−ＲＮＴＩ）によってスクランブルされた巡回冗長検査（ＣＲＣ）を含み、共通のペイロードサイズを有し、前記共通の探索空間と前記ＵＥ固有の探索空間の重なり合う探索空間に配置されているとき、前記装置は、前記ＣＩＦが前記情報中に含まれているかどうかを判別できず、
前記共通の探索空間の第１の制御チャネル要素（ＣＣＥ）インデックスと前記ＵＥ固有の探索空間の第１のＣＣＥインデックスが等しいとき、前記重なり合う探索空間は、前記ＵＥ固有の探索空間と重なり合う前記共通の探索空間を備える装置。
【請求項２８】
前記共通のペイロードサイズは、前記情報が前記サービングセル用の情報であるか前記一次セル用の情報であると仮定されるかにかかわらず等しいペイロードサイズである、請求項２７に記載の装置。
【請求項２９】
ユーザ機器（ＵＥ）内のコンピュータプログラムを格納した非一時的なコンピュータ可読記憶媒体であって、
前記コンピュータプログラムは、
複数のサービングセルのうちの一次セルに対して、共通の探索空間とＵＥ固有の探索空間中の少なくとも１つの物理ダウンリンク制御チャネル（ＰＤＣＣＨ）を監視し、
キャリアインジケータフィールド（ＣＩＦ）が情報中に含まれているかどうかを前記ＵＥが判別できないとき、前記共通の探索空間中の前記少なくとも１つのＰＤＣＣＨ中で受信した情報は、前記一次セルに対するものであると仮定するためのコードを備え、
前記一次セルは、前記ＵＥのサービングセルとは異なり、
前記受信した情報が、セル無線ネットワーク一時識別子（Ｃ−ＲＮＴＩ）によってスクランブルされた巡回冗長検査（ＣＲＣ）を含み、共通のペイロードサイズを有し、前記共通の探索空間と前記ＵＥ固有の探索空間の重なり合う探索空間に配置されているとき、前記ＵＥは、前記ＣＩＦが前記情報中に含まれているかどうかを判別できず、
前記共通の探索空間の第１の制御チャネル要素（ＣＣＥ）インデックスと前記ＵＥ固有の探索空間の第１のＣＣＥインデックスが等しいとき、前記重なり合う探索空間は、前記ＵＥ固有の探索空間と重なり合う前記共通の探索空間を備える、
コンピュータ可読記憶媒体
【請求項３０】
前記共通のペイロードサイズは、前記情報が前記サービングセル用の情報であるか前記一次セル用の情報であると仮定されるかにかかわらず等しいペイロードサイズである、請求項２９に記載のコンピュータ可読記憶媒体。
【請求項３１】
ワイヤレス通信のための装置であって、
複数のサービングセルのうちの一次セルに対して、共通の探索空間とユーザ機器（ＵＥ）固有の探索空間中の少なくとも１つの物理ダウンリンク制御チャネル（ＰＤＣＣＨ）を監視し、
キャリアインジケータフィールド（ＣＩＦ）が情報中に含まれているかどうかを前記装置が判別できないとき、前記共通の探索空間中の前記少なくとも１つのＰＤＣＣＨ中で受信した情報は、前記一次セルに対するものであると仮定するように構成された少なくとも１つのプロセッサを備え、
前記一次セルは、前記装置のサービングセルとは異なり、
前記受信した情報が、セル無線ネットワーク一時識別子（Ｃ−ＲＮＴＩ）によってスクランブルされた巡回冗長検査（ＣＲＣ）を含み、共通のペイロードサイズを有し、前記共通の探索空間と前記ＵＥ固有の探索空間の重なり合う探索空間に配置されているとき、前記装置は、前記ＣＩＦが前記情報中に含まれているかどうかを判別できず、
前記共通の探索空間の第１の制御チャネル要素（ＣＣＥ）インデックスと前記ＵＥ固有の探索空間の第１のＣＣＥインデックスが等しいとき、前記重なり合う探索空間は、前記ＵＥ固有の探索空間と重なり合う前記共通の探索空間を備える装置。
【請求項３２】
前記共通のペイロードサイズは、前記情報が前記サービングセル用の情報であるか前記一次セル用の情報であると仮定されるかにかかわらず等しいペイロードサイズである、請求項３１に記載の装置。